(57)【要約】【課題】色再現範囲を容易に調整できかつ高輝度の表示が可能な液晶表示装置を提供する。【解決手段】表示情報を少なくとも４つの色要素と輝度レベルとに分解する分解手段１４と、色要素ごとの輝度レベルに対応した画像を表示する液晶表示部１と、色要素ごとの光を液晶表示部に照射する光源２と、色要素ごとの光の照射と画像表示とを時分割で制御してカラー画像を表示する制御手段１６とを備え、分解手段は、表示情報に含まれるＲＧＢ各々の輝度レベルに対する特定割合で他の色の輝度レベルを増加させた新たな表示情報を分解する液晶表示装置である。【選択図】図１
2007334223.tif 000002
【特許請求の範囲】
【請求項１】
表示情報に基づいて、液晶表示部にＲＧＢ各３色光源の光を少なくとも４つのサブフィールドに時間分割して照射してカラー表示を行うフィールドシーケンシャル方式の液晶表示装置において、
前記表示情報に含まれるＲＧＢ各々の輝度レベルに対する特定割合で他の色の輝度レベルを増加させた新たな表示情報に基づいてカラー表示を行うことを特徴とする液晶表示装置。
【請求項２】
ＲＧＢＷの４つのサブフィールドで構成されることを特徴とする請求項１に記載の液晶表示装置。
【請求項３】
ＲＧＢにＣＭＹＷのいずれか一つを含み少なくとも４つ以上のサブフィールドで構成されることを特徴とする請求項１に記載の液晶表示装置。
【請求項４】
前記特定割合は、変更可能になされることを特徴とする請求項１に記載の液晶表示装置。
【請求項５】
前記特定割合を表す情報を記憶するメモリと、このメモリ内の前記情報を変更する書き換え手段とを更に備えたことを特徴とする請求項４に記載の液晶表示装置。
【請求項６】
前記特定割合を表す情報を複数種類記憶するメモリと、新たな表示情報の作成に使用する前記特定割合を表す情報を指定する指定手段とを更に備えたことを特徴とする請求項４に記載の液晶表示装置。
【請求項７】
表示情報を少なくとも４つの色要素と輝度レベルとに分解する分解手段と、
前記色要素ごとの輝度レベルに対応した画像を表示する液晶表示部と、
前記色要素ごとの光を前記液晶表示部に照射する光源と、
前記色要素ごとの光の照射と前記画像表示とを時分割で制御してカラー画像を表示する制御手段とを備え、
前記分解手段は、前記表示情報に含まれるＲＧＢ各々の輝度レベルに対する特定割合で他の色の輝度レベルを増加させた新たな表示情報を分解することを特徴とする液晶表示装置。
【発明の詳細な説明】
【技術分野】
【０００１】
本発明は、時分割でカラー表示を行うフィールドシーケンシャル方式の液晶表示装置に関し、特に色再現範囲を容易に調整できかつ高輝度の表示が可能な液晶表示装置に関する。
【背景技術】
【０００２】
液晶表示装置は、コンピュータ、カーナビゲーションシステム、あるいはテレビ受信機等において画像を表示する表示パネルとして広く利用されている。  
一般的な液晶表示装置には、カラー表示を行うために、例えば、赤（Ｒ）・緑（Ｇ）・青（Ｂ）の３原色の着色層からなるカラーフィルタが設けられている。ＲＧＢの着色層はそれぞれの画素に対応して配置され、これら画素の光透過率を制御することによりフルカラー表示を実現している。カラーフィルタを用いた方式では、１つの表示画素を３つのカラー画素で構成する必要があることから高精細化が容易ではないなどの欠点がある。
【０００３】
これらの欠点を解決する技術としてフィールドシーケンシャル方式の液晶表示装置が提案されている。  
フィールドシーケンシャル方式では、赤、緑、青の光を順次点灯し、その点灯色に同期して対応する画像を表示パネルに表示することにより眼の残像現象を利用してカラー画像を生成するものである。このフィールドシーケンシャル方式によれば、カラーフィルタが不要であると共に、1つの表示画素を1つのピクセルで実現するため単純な構成で画像を表示することができる。
【０００４】
また、赤、緑、青の色再現に関しては、通常の液晶表示装置では一般的にＥＢＵ（European Broadcasting Union）などの規格にあわせたカラーフィルタを配するために、より忠実な色再現範囲を実現するには透過率が低くなるのに対し、赤、緑、青のＬＥＤ光源を用いたフィールドシーケンシャル方式では、EBU以上の高い色再現範囲を容易に実現できる一方で、場合によっては過剰スペックとなりうる。
【０００５】
ところで、フィールドシーケンシャル方式では、色割れと呼ばれる単色の着色現象の発生と時分割駆動による表示信号の強度の低下が課題とされている。色割れとは、動画像を表示する場合に、赤、緑、青の各色の表示タイミングの時間差により移動体のエッジ部分に色つきが生ずる現象である。  
特許文献１には、この色割れを緩和する方式として、１フィールドの表示に赤、緑、青に白や補色を加えた４つ以上のサブフィールドを順次駆動して表示する方法が開示されている。
【特許文献１】特開２００５−２３３９８２号公報
【発明の開示】
【発明が解決しようとする課題】
【０００６】
しかしながら、特許文献１に記載の技術を用いて、時分割により４つ以上のサブフィールドを順次駆動することで、赤、緑、青の３つのサブフィールドを順次駆動する場合と比較すると、さらに輝度の低下が問題となる。
【０００７】
本発明はかかる事情に鑑みてなされたものであって、色再現範囲を容易に調整できかつ高輝度の表示を可能にする液晶表示装置を提供することを目的とする。
【課題を解決するための手段】
【０００８】
本発明の液晶表示装置は、表示情報に基づいて、モノクロ表示の液晶表示部にＲＧＢ各３色光源の光を少なくとも４つのサブフィールドに時間分割して照射してカラー表示を行うフィールドシーケンシャル方式の液晶表示装置において、前記表示情報に含まれるＲＧＢ各々の輝度レベルに対する特定割合で他の色の輝度レベルを増加させた新たな表示情報に基づいてカラー表示を行う。
【０００９】
また本発明の液晶表示装置は、表示情報を少なくとも４つの色要素と輝度レベルとに分解する分解手段と、前記色要素ごとの輝度レベルに対応したモノクロ画像を表示する液晶表示部と、前記色要素ごとの光を前記液晶表示部に照射する光源と、前記色要素ごとの光の照射と前記モノクロ画像表示とを時分割で制御してカラー画像を表示する制御手段とを備え、前記分解手段は、前記表示情報に含まれるＲＧＢ各々の輝度レベルに対する特定割合で他の色の輝度レベルを増加させた新たな表示情報を分解する。
【発明の効果】
【００１０】
本発明の液晶表示装置によれば、色再現範囲を容易に調整でき高輝度の表示が可能である。
【発明を実施するための最良の形態】
【００１１】
図１は、本発明の実施の形態に係る液晶表示装置の構成を示すブロック図である。  
液晶表示装置は、映像を表示する液晶表示パネル１、液晶表示パネル1を照明する光源２及び表示動作を制御する表示制御回路ＣＮＴで構成されている。  
液晶表示パネル１は一対の電極基板であるアレイ基板（不図示）および対向基板（不図示）間に液晶層を挟持した構造である。アレイ基板にはマトリクス状に配された複数の画素電極が設けられ、対向基板には光漏れを防止するブラックマトリクスと対向電極が設けられている。そして各画素電極および対向電極および液晶層とで各画素を構成する。なお、この液晶表示パネル１には、カラーフィルタが装備されていない。  
光源２は、３原色である赤色、緑色、青色の光を照射するＬＥＤ（Light Emitting Diode）とそれらＬＥＤの発光輝度を個々に制御する手段とを備えている。  
表示制御回路ＣＮＴはアレイ基板および対向基板を介して画素電極及び対向電極間の液晶層に液晶駆動電圧を印加し、発生した電界によって各画素の透過率を制御する。
【００１２】
表示制御回路ＣＮＴは、ゲートドライバ１１、ソースドライバ１２、フレームメモリ１３、映像信号変換部１４、設定値メモリ１５及び駆動制御部１６を備えている。  
ゲートドライバ１１は、行単位で複数の画素を選択するゲート線（不図示）を順次駆動する。選択された行単位の画素は、表示信号に対応する画素電圧が書込み可能な状態になる。ソースドライバ１２は、選択された各行の画素に書込む画素電圧を複数のソース線（不図示）にそれぞれ出力する。  
フレームメモリ１３は、デジタル映像信号から抽出されたＲ・Ｇ・Ｂ各色の表示信号を保存する。映像信号変換部１４は、Ｒ・Ｇ・Ｂ・Ｗの４つのサブフィールドごとの表示信号を生成する。設定値メモリ１５は、映像信号変換部１４が４つのサブフィールドごとの表示信号の生成に使用する設定データを変換テーブルの形で保存する。  
駆動制御部１６は、外部信号源（不図示）から入力される同期信号に基づいて映像信号変換部１４の変換結果として得られた各サブフィールドごとの表示信号から画素電圧を生成してソース信号として順次出力する。また、駆動制御部１６は、外部信号源から入力される同期信号に基づいてゲートドライバ１１に対する制御信号であるゲート信号を発生する。さらに駆動制御部１６は、外部信号源から入力される同期信号に基づいて各サブフィールド毎にＲ・Ｇ・ＢのＬＥＤの点滅を制御する同期信号を出力する。
【００１３】
続いて、本発明の基本的な考え方を、ＲＧＢにＷ（白）を加えた４つのサブフィールド駆動について説明する。  
図２は、比較例のＲＧＢＷの４つのサブフィールドを用いたフィールドシーケンシャル方法を説明する図である。  
図２の入力信号は、映像信号変換部１４に入力されるカラー映像信号のＲＧＢ各色の表示信号強度を示している。図２の出力信号は、映像信号変換部１４から時系列で出力される４つのサブフィールドごとに生成したＲＧＢＷ各色の表示信号強度を表している。  
なお、表示信号強度は画素電圧に変換され画素の透過率を制御するものである。従って、表示信号強度は画像の輝度レベルに対応している。
【００１４】
図２の（１）は表示信号がＲ単色の場合を示している。入力信号にはＲ成分のみが存在し、Ｇ・Ｂ成分はゼロである。出力信号では、第１のサブフィールドでＲの表示信号が出力され、第２〜４のサブフィールドでは表示信号強度はゼロとして出力される。  
図２の（２）は表示信号がＧ単色の場合を示している。入力信号にはＧ成分のみが存在し、Ｒ・Ｂ成分はゼロである。出力信号では、第２のサブフィールドでＧの表示信号が出力され、第１、３〜４のサブフィールドでは表示信号強度はゼロとして出力される。  
図２の（３）は表示信号がＢ単色の場合を示している。入力信号にはＢ成分のみが存在し、Ｒ・Ｇ成分はゼロである。出力信号では、第３のサブフィールドでＢの表示信号が出力され、第１〜２、４のサブフィールドでは表示信号強度はゼロとして出力される。  
図２の（４）は表示信号がＷ単色の場合を示している。入力信号にはＲ・Ｇ・Ｂ成分全てが同一の表示信号強度を有している。出力信号では、第４のサブフィールドでＷの表示信号が出力され、第１〜３のサブフィールドでは表示信号強度はゼロとして出力される。
【００１５】
図２の（５）は表示信号が混色の場合を示している。入力信号にはＲ・Ｇ・Ｂ成分の表示信号強度が示されている。出力信号では、第１のサブフィールドでＲの表示信号強度がゼロとして出力され、第２〜４のサブフィールドでＧ・Ｂ・Ｗの表示信号強度が出力される。  
図２の（６）には、（５）の場合の信号処理方法を示している。入力信号のＲ・Ｇ・Ｂ成分の内、表示信号強度の一番小さいＲ成分の強度が、出力信号のＷのサブフィールドの表示信号の強度となっている。そして、Ｒ・Ｇ・Ｂ成分の表示信号強度からＲ成分の表示信号強度を差し引いた値が、出力信号のＲ・Ｇ・Ｂのサブフィールドの表示信号強度となっている。
【００１６】
図３は、本発明の実施の形態に係る液晶表示装置においてＲＧＢＷの４つのサブフィールドを用いたフィールドシーケンシャル方法を説明する図である。  
図３の入力信号は、映像信号変換部１４に入力されるカラー映像信号のＲＧＢ各色の表示信号の強度を示している。図３の出力信号は、映像信号変換部１４から時系列で出力される４つのサブフィールド毎に生成したＲＧＢＷ各色の表示信号の強度を表している。
【００１７】
図３の（１）は表示信号がＲ単色の場合を示している。入力信号にはＲ成分のみが存在し、Ｇ・Ｂ成分はゼロである。出力信号では、第１のサブフィールドでＲの表示信号が出力され、さらに第２、３のサブフィールドで特定割合の強度をもつＧ・Ｂ成分の表示信号が出力される。第４のサブフィールドでのＷ成分はゼロである。
【００１８】
図３の（２）は表示信号がＧ単色の場合を示している。入力信号にはＧ成分のみが存在し、Ｒ・Ｂ成分はゼロである。出力信号では、第２のサブフィールドでＧの表示信号が出力され、さらに第１、３のサブフィールドで特定割合の強度をもつＲ・Ｂ成分の表示信号が出力される。第４のサブフィールドでのＷ成分はゼロである。
【００１９】
図３の（３）は表示信号がＢ単色の場合を示している。入力信号にはＢ成分のみが存在し、Ｒ・Ｇ成分はゼロである。出力信号では、第３のサブフィールドでＢの表示信号が出力され、さらに第１、２のサブフィールドで特定割合の強度をもつＲ・Ｂ成分の表示信号が出力される。第４のサブフィールドでのＷ成分はゼロである。
【００２０】
図３の（４）は表示信号がＷ単色の場合を示している。入力信号にはＲ・Ｇ・Ｂ成分全てが同一の強度を有している。出力信号では、第４のサブフィールドでＷの表示信号が出力され、第１〜３のサブフィールドでは上述の特定割合のそれぞれのＲ・Ｇ・Ｂの表示信号強度を加算した値が出力される。
【００２１】
図３の（５）は表示信号が混色の場合を示している。入力信号にはＲ・Ｇ・Ｂ成分の表示信号強度が示されている。出力信号では、第１のサブフィールドでＲの成分がゼロとして出力され、第２〜４のサブフィールドでＧ・Ｂ・Ｗの表示信号が出力される。  
図３の（６）には、（５）の場合の信号処理方法を示している。入力信号のＲ・Ｇ・Ｂ成分の表示信号の強度値から、各サブフィールドの表示信号強度を算出し、次に各サブフィールド毎に強度を積算する。そして、積算した値の内、一番小さいＲ成分の値が、出力信号のＷサブフィールドの表示信号の強度に対応している。そして、Ｒ・Ｇ・Ｂ成分の値からＲ成分の値を差し引いた値が、出力信号のＲ・Ｇ・Ｂサブフィールドの表示信号の強度に対応している。
【００２２】
このように、ＲＧＢの単色表示においても他の色を特定割合の強度で表示することで、色再現範囲を調整することができる。また、単色以外の色を表示する際には、単色表示において表示した他の色の強度を積算して表示することにより、調整した色再現範囲を維持しつつ表示輝度を高めることができる。
【００２３】
次に、本発明の実施の形態に係る液晶表示装置のフィールドシーケンシャル動作について図１を参照しつつ説明する。  
デジタル映像信号から抽出されたＲ・Ｇ・Ｂ各色の表示信号はフレームメモリ１３に保存される。映像信号変換部１４は、このフレームメモリ１３に保存された表示信号を入力信号として、Ｒ・Ｇ・Ｂ・Ｗの４つのサブフィールドごとの表示信号をそれぞれ生成する。
【００２４】
図４は、映像信号変換部１４の概略の手順を示すフロー図である。  
ブロックＢ０１において、まず映像信号変換部１４はフレームメモリ１３からＲ・Ｇ・Ｂ各色の表示信号を読み込む。ここで、読み込んだ表示信号の強度をそれぞれＲａ・Ｇａ・Ｂａとする。ブロックＢ０２において、設定値メモリ１５より色調整範囲の設定データを記載した変換テーブルを読み込む。
【００２５】
図５は、設定データの一例を示す図である。  
この設定データによれば、Ｒ単色表示では、Ｒ成分以外にＧ成分を比率ａ、Ｂ成分を比率ｂだけ加えて表示する。Ｇ単色表示では、Ｇ成分以外にＲ成分を比率ｃ、Ｂ成分を比率ｄだけ加えて表示する。Ｂ単色表示では、Ｂ成分以外にＲ成分を比率ｅ、Ｇ成分を比率ｆだけ加えて表示する。  
即ち、単色表示では各色成分の最大値Ｒｍ・Ｇｍ・Ｂｍを用いて、式（１）〜（３）の関係が成立する。  
Ｒ単色表示：      Ｒｍ＋ａ＊Ｇｍ＋ｂ＊Ｂｍ          …式（１）  
Ｇ単色表示：  ｃ＊Ｒｍ＋    Ｇｍ＋ｄ＊Ｂｍ          …式（２）  
Ｂ単色表示：  ｅ＊Ｒｍ＋ｆ＊Ｇｍ＋    Ｂｍ          …式（３）
ブロックＢ０３において、各単色ごとの強度を求める。  
各色の表示は、式（１）〜（３）と同様に読み込んだ各色の表示信号の強度Ｒａ・Ｇａ・Ｂａを用いて、式（４）〜（６）で表される。  
Ｒ表示：      Ｒａ＋ａ＊Ｇａ＋ｂ＊Ｂａ              …式（４）  
Ｇ表示：  ｃ＊Ｒａ＋    Ｇａ＋ｄ＊Ｂａ              …式（５）  
Ｂ表示：  ｅ＊Ｒａ＋ｆ＊Ｇａ＋    Ｂａ              …式（６）
従って、各色の表示信号の強度を積算したそれぞれの値Ｒｓ・Ｇｓ・Ｂｓは、読み込んだ各色の表示信号の強度Ｒａ・Ｇａ・Ｂａを用いて式（７）〜（９）で表される。  
Ｒｓ  ＝  （１＋ｃ＋ｅ）＊Ｒａ                      …式（７）  
Ｇｓ  ＝  （ａ＋１＋ｆ）＊Ｇａ                      …式（８）  
Ｂｓ  ＝  （ｂ＋ｄ＋１）＊Ｂａ                      …式（９）
ブロックＢ０４において、積算して求めた各色の値の内、最小値をＷサブフィールドの表示信号の強度とする。  
即ち、Ｗサブフィールドの表示信号の強度Ｗｆは式（１０）で表される。  
Ｗｆ  ＝  Ｍｉｎ（Ｒｓ，Ｇｓ，Ｂｓ）                …式（１０）  
なお、Ｗｆが所定の最大値を超える場合は、Ｗｆを所定の最大値とする。
【００２６】
ブロックＢ０５において、他のサブフィールドの表示信号の強度を求める。  
Ｒ・Ｇ・Ｂサブフィールドの表示信号の強度Ｒｆ・Ｇｆ・Ｂｆは、それぞれ式（１１）〜（１３）で表される。  
Ｒｆ  ＝  （１＋ｃ＋ｅ）＊Ｒａ  −Ｗｆ                …式（１１）  
Ｇｆ  ＝  （ａ＋１＋ｆ）＊Ｇａ  −Ｗｆ                …式（１２）  
Ｂｆ  ＝  （ｂ＋ｄ＋１）＊Ｂａ  −Ｗｆ                …式（１３）
ブロックＢ０６において、求めたＲｆ・Ｇｆ・Ｂｆ・Ｗｆを１〜４のサブフィールドの表示信号の強度として順次出力する。
【００２７】
なお、式（１）〜（１３）の展開から、映像信号変換部１４の動作はフレームメモリから読み込んだＲＧＢ単色の信号強度に基づいて、他のＲＧＢの信号強度（輝度レベル）を特定割合だけ増加させ、その結果として得られるＲＧＢの信号強度を、新たな表示信号強度として従来の４つのサブフィールド処理を行うことと同義である。
【００２８】
駆動制御部１６は、外部信号源（不図示）から入力される同期信号に基づいて映像信号変換部１４の変換結果として得られた各サブフィールドごとの表示信号から画素電圧を生成してソース信号として順次出力すると共に、該当する行の画素を選択するためのゲートドライバ１１に対する制御信号であるゲート信号を発生する。さらに駆動制御部１６は同期信号を発生して、Ｒ・Ｇ・Ｂの各サブフィールド毎にＲ・Ｇ・Ｂ光源を点灯し、ＷサブフィールドではＲ・Ｇ・Ｂ光源を全て点灯して白色光を生成する。
【００２９】
なお、上述の映像信号変換部１４の動作は、個々の画素毎に実施するものであるが、行単位に複数の画素について各色の表示信号の強度値を調べ、その内の最小値をＷｆとしても良い。  
また、色調整範囲の設定データは、予め種々の変換テーブルを用意し、ユーザの指定に従って、選択して使用するようにしても良い。
【００３０】
図６は、本実施の形態の液晶表示装置を使用した実施例を示す図である。  
図６の（１）は、通常駆動時、即ち単色表示において他の色を特定割合で表示しない場合の、設定データ、色再現性、輝度比、色座標を示している。  
この実施例では、光源２としてＬＥＤ素子を使用している。従って、色再現範囲はＮＴＳＣ比で１２０％と鮮やかな画像が得られている。この通常駆動時の輝度を基準とするため輝度比は１．０である。色座標では、ＮＴＳＣの色度図と通常駆動時の色度図とを重ねて示している。
【００３１】
図６の（２）は、補正駆動時として、Ｒ・Ｂの単色表示においてＧの色を５％表示した場合の、設定データ、色再現性、輝度比、色座標を示している。  
この実施例では、色座標では、ＮＴＳＣの色度図とほぼ同じ色度図となっている。従って、色再現範囲はＮＴＳＣ比で１００％と高い色再現範囲の画像が得られている。一方、単色表示において他の色を混色して表示しているため、通常駆動時の輝度を基準として実測した輝度比は１．１と高い輝度が得られている。
【００３２】
図６の（３）は、補正駆動時として、Ｒ・Ｇ・Ｂの単色表示において他の色を図示のように表示した場合の、設定データ、色再現性、輝度比、色座標を示している。  
この実施例では、色座標では、通常の放送に用いられているＥＢＵ規格とほぼ同じ色度図となっている。従って、色再現範囲はＮＴＳＣ比で７２％の画像が得られている。一方、単色表示において他の色を表示しているため、通常駆動時の輝度を基準として実測した輝度比は１．２と非常に明るい画像が得られている。
【００３３】
図６の（４）は、補正駆動時として、Ｒ・Ｇ・Ｂの単色表示において他の色を図示のように表示した場合の、設定データ、色再現性、輝度比、色座標を示している。  
この実施例では、色座標では、４０％色度とほぼ同じ色度図となっている。従って、色再現範囲はＮＴＳＣ比で４０％の画像が得られている。一方、単色表示において他の色を表示しているため、通常駆動時の輝度を基準として実測した輝度比は１．４と極めて明るい画像が得られている。
【００３４】
この実施例で説明したように、本発明の実施の形態に係る液晶表示装置では、広い色再現範囲の実現と高い輝度の両方を実現できることが解る。また、設定データを変更することにより色再現範囲を調整することが可能であり、またそれとともに輝度の調整も可能である。  
従って、ユーザは使用目的に応じて所望の画像を得ることができる。例えば、鮮やかな画像を得たいときは、通常駆動もしくは色再現１００％駆動を与える設定データを使用し、通常のテレビ放送の画像を得たいときは、色再現ＥＢＵ駆動を与える設定データを使用し、屋外での使用等で高輝度の画像を得たいときは、色再現４０％駆動を与える設定データを使用すれば良い。  
これによって、例えば販売を対象とする商品のデザイン上の特徴を引き立たせることができ、大きな訴求力、顧客吸引力を得ることができる。そして、この色再現範囲の調整は設定データを変更すれば良いため、画像に合わせて柔軟に変更することもできる。
【００３５】
なお、上述の実施の形態ではＲＧＢＷの４色のサブフィールドを用いているが、４色以上のサブフィールドを用いても良い。例えば、ＲＧＢの他に、補色であるＣＭＹ（シアン、マゼンタ、イエロー）及びＷを加えてサブフィールドを構成しても良い。
【００３６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３７】
【図１】本発明の実施の形態に係る液晶表示装置の構成を示すブロック図。
【図２】比較例のＲＧＢＷの４つのサブフィールドを用いたフィールドシーケンシャル方法を説明する図。
【図３】本発明の実施の形態に係る液晶表示装置においてＲＧＢＷの４つのサブフィールドを用いたフィールドシーケンシャル方法を説明する図。
【図４】映像信号変換部の概略の手順を示すフロー図。
【図５】設定データの一例を示す図。
【図６】本実施の形態の液晶表示装置を使用した実施例を示す図。
【符号の説明】
【００３８】
１…液晶表示パネル、２…光源、１１…ゲートドライバ、１２…ソースドライバ、１３…フレームメモリ、１４…映像信号変換部、１５…設定値メモリ、１６…駆動制御部、ＣＮＴ…表示制御回路。
【図１】
2007334223.tif 000003
【図２】
2007334223.tif 000004
【図３】
2007334223.tif 000005
【図４】
2007334223.tif 000006
【図５】
2007334223.tif 000007
【図６】
2007334223.tif 000008